(57)【特許請求の範囲】
【請求項１】
ナースコールシステムを構成する複数の機器の機能として、音声を入力するマイク部、音声を出力するスピーカー部、画像を表示する表示部、操作を行うための操作部を切り替え可能に搭載したナースコール用端末であって、
特定の場所に設置された場合に、前記特定の場所に設置される機器の機能に切り替えるための機能指定情報として、患者が医療従事者を呼び出す際に使用するナースコール子機、病室内の患者が呼び出しを行っていることを表示する廊下灯、前記患者が呼び出しを行っていることを音声および表示により報知するとともに、医療従事者が前記患者からの呼び出しに応答する際に使用するナースコール親機を示す情報を入力する入力部と、
前記入力部が前記機能指定情報として前記ナースコール子機を示す情報を入力した場合に、少なくとも前記マイク部、スピーカー部および前記操作部を有効とし、前記入力部が前記機能指定情報として前記廊下灯を示す情報を入力した場合に、少なくとも前記表示部を有効として、前記入力部が前記機能指定情報として前記ナースコール親機を示す情報を入力した場合および前記入力部が前記機能指定情報を入力しなかった場合に、前記マイク部、前記スピーカー部、前記表示部および前記操作部を有効とする制御部と、
を備えることを特徴とするナースコール用端末装置。
【発明の詳細な説明】
【技術分野】
【０００１】
本発明は、病院などで患者からの要求に応じて医師や看護師などの医療従事者を呼び出すナースコールシステムに使用されるナースコール用端末装置に関する。
【背景技術】
【０００２】
従来、病院などでは、ナースコールシステムが用いられている。ナースコールシステムは、病室内の患者の近辺（例えば、ベッド近傍など）に設置されたナースコール子機および医療従事者の居る部屋（例えば、スタッフルームなど）に設置されたナースコール親機を有線などにより接続して構成されている。また、ナースコール親機とナースコール子機との間には、病室に居る患者の名前などを表示したり、患者が医療従事者を呼び出したことを報知したりするための廊下灯が設置されている。また、ナースコール親機によっては、医療従事者が携行している携帯通信端末（例えば、ＰＨＳ（Ｐｅｒｓｏｎａｌ  Ｈａｎｄｙｐｈｏｎｅ  Ｓｙｓｔｅｍ）やコードレス電話など）を無線によって接続するものも存在する。そして、患者や患者の近辺に居る医療従事者によりナースコール子機が操作されると、ナースコール親機や廊下灯、携帯通信端末は、自装置に設けられた報知部を動作させて、スピーカーから呼び出し音を出力させたり、表示ディスプレイなどに呼び出し表示を行わせたりして、呼び出しを報知している。医療従事者は、呼び出し音を聞いたり、呼び出し表示を見たりして、患者や患者の近辺に居る医療従事者からの呼び出しを把握する。
【０００３】
ところで、ナースコールシステムを構成するナースコール子機やナースコール親機、廊下灯、携帯通信端末などの装置は、それぞれが専用の機能を有するので、他の装置を代用することができないという問題があった。
【０００４】
このような課題を解決するために、テレビジョン受像機や照明機器などの複数の被制御装置を操作するためのデータコードを記憶しておき、操作する被制御装置に応じてタッチパネルで押下可能な機能を切り替える技術が知られている（例えば、特許文献１など）。特許文献１に記載のリモコン装置は、切り替えられたタッチパネルで所望の操作に対応する位置が押下されると、その位置に該当するデータコードを含むリモコン信号を送信するようにしている。
【０００５】
この特許文献１に記載の技術を前述の従来技術に適用すると、ナースコールシステムを構成するナースコール子機やナースコール親機、廊下灯、携帯通信端末などの装置の各機能を一台のナースコール用端末装置に搭載し、所望の装置に応じてナースコール用端末装置で動作する機能を切り替えると、その装置と同様の機能を実現することができる。
【０００６】
しかしながら、この従来技術では、ナースコール用端末装置で動作する機能を手動により切り替えているので、切り替えの動作に手間がかかってしまうという問題があった。また、ナースコール用端末装置で動作する機能を誤って切り替えると、ナースコール用端末装置が適切な動作をしなくなってしまうという問題もあった。
【０００７】
このような課題を解決するために、車載用受信装置の選局ボタンに割り当てられている放送周波数を車両の現在位置に適合した放送周波数に自動的に変更する技術が知られている（例えば、特許文献２など）。特許文献２に記載の車載用受信装置では、ナビゲーションユニットから車両の現在位置を取得し、取得した車両の現在位置が含まれる放送エリアにて受信可能な放送局を選局ボタンに割り当てるようにしている。
【０００８】
この特許文献２に記載の技術を前述の従来技術に適用すると、ナースコール用端末装置の位置を検出し、検出したナースコール用端末装置の位置が患者の使用するベッド近傍である場合にナースコール用端末装置の機能をナースコール子機の機能に、検出したナースコール用端末装置の位置がスタッフルームである場合にナースコール用端末装置の機能をナースコール親機の機能に、検出したナースコール用端末装置の位置が病室の出入口付近である場合にナースコール用端末装置の機能を廊下灯の機能に切り替えることができる。
【０００９】
しかしながら、この従来技術では、設置位置が特定されている機器にナースコール用端末装置の機能を切り替えることはできるが、医療従事者によって携行される携帯通信端末は様々な場所で使用されるため、ナースコール用端末装置を携帯通信端末の機能に切り替えることができないという問題があった。
【先行技術文献】
【特許文献】
【００１０】
【特許文献１】特開２０１０−２５１９６８号公報
【特許文献２】特開２００３−３２０８３号公報
【発明の概要】
【発明が解決しようとする課題】
【００１１】
本発明は、このような問題を解決するために成されたものであり、ナースコールシステムを構成する複数の機器を一つのナースコール用端末装置に搭載しつつ、これらの機能のうち、特定の場所に設置される機器の機能と、医療従事者によって携行される携帯通信端末の機能とを適切に切り替えることができるようにすることを目的とする。
【課題を解決するための手段】
【００１２】
上述した課題を解決するために、本発明のナースコール用端末装置は、ナースコールシステムを構成する複数の機器であるナースコール子機、廊下灯、ナースコール親機、携帯通信端末の機能を切り替え可能に搭載し、特定の場所に設置された場合に入力する機能指定情報としてナースコール子機を示す情報を入力した場合に、少なくともマイク部、スピーカー部および操作部を有効とし、機能指定情報として廊下灯を示す情報を入力した場合に、少なくとも表示部を有効として、機能指定情報としてナースコール親機を示す情報を入力した場合および機能指定情報を入力しなかった場合に、マイク部、スピーカー部、表示部および操作部を有効とするようにしている。
【発明の効果】
【００１３】
上記のように構成した本発明によれば、ナースコールシステムを構成する複数の機器の機能を切り替え可能に搭載したナースコール用端末装置が特定の場所に設置されると、ナースコール用端末装置は機能指定情報を入力し、機能指定情報を入力したナースコール用端末装置の機能が機能指定情報により特定される機器の機能に切り替えられる。また、ナースコール用端末装置が医療従事者によって携行されると、ナースコール用端末装置は機能指定情報を入力せず、そのナースコール用端末装置の機能が携帯通信端末の機能に切り替えられる。これにより、ナースコールシステムを構成する複数の機器の機能のうち、特定の場所に設置される機器の機能と、医療従事者によって携行される携帯通信端末の機能とを適切に切り替えることができる。
【図面の簡単な説明】
【００１４】
【図１】本実施形態によるナースコール用端末装置を含むナースコールシステムの構成例を示すブロック図である。
【図２】本実施形態によるナースコール用端末装置を含むナースコールシステムの記憶装置の記憶内容の例を示す図である。
【図３】本実施形態によるナースコール用端末装置の各機能における表示部の表示の例を示す図である。
【発明を実施するための形態】
【００１５】
以下、本発明の一実施形態を図面に基づいて説明する。本実施形態によるナースコール用端末装置を含むナースコールシステムの構成例を示すブロック図を図１に示す。同図に示すように、本実施形態によるナースコール用端末装置を含むナースコールシステムは、ナースコール用端末装置１、接続装置２、記憶装置３、管理装置４、交換機５、無線基地局６を備えて構成されている。
【００１６】
図１において、ナースコール用端末装置１は、制御部１１、記憶部１２、マイク部１３、スピーカー部１４、表示部１５、操作部１６、インターフェース（特許請求の範囲の入力部に該当し、以下、Ｉ／Ｆとする）部１７、無線通信部１８を備えて構成されている。また、ナースコール用端末装置１は、ナースコールシステムを構成する複数の機器（例えば、ナースコール子機やナースコール親機、廊下灯、携帯通信端末など）の機能を切り替え可能に搭載している。
【００１７】
制御部１１は、ＣＰＵ（Ｃｅｎｔｒａｌ  Ｐｒｏｃｅｓｓｉｎｇ  Ｕｎｉｔ）などにより構成されており、ナースコール用端末装置１の各構成要素を後述するように制御する。記憶部１２は、メモリなどの記憶装置により構成されており、ナースコールシステムを構成する複数の機器の機能を切り替えるためのプログラムなどのデータを記憶している。
【００１８】
マイク部１３は、周囲の音声を入力し、入力した音声を音声信号として出力するためのものである。ここで、マイク部１３の構造やマイク部１３による音声の入力方法は、周知の技術を用いる。また、制御部１１がナースコール用端末装置１をナースコール子機の機能に切り替えた場合には、マイク部１３は、通話時にナースコール用端末装置１を使用している患者の声を含む周囲の音声を入力するために使用される。また、制御部１１がナースコール用端末装置１をナースコール親機の機能または携帯通信端末の機能に切り替えた場合には、マイク部１３は、通話時にナースコール用端末装置１を使用している医療従事者の声を含む周囲の音声を入力するために使用される。また、制御部１１がナースコール用端末装置１を廊下灯の機能に切り替えた場合には、マイク部１３は使用されない。
【００１９】
スピーカー部１４は、入力した音声信号を音声として出力するためのものである。ここで、スピーカー部１４の構造やスピーカー部１４による音声の出力方法は、周知の技術を用いる。また、制御部１１がナースコール用端末装置１をナースコール子機の機能に切り替えた場合には、スピーカー部１４は、ナースコール子機による呼び出しが行われたときに、呼び出しが行われたことを示す呼出確認音を出力したり、通話時に医療従事者の声を含む音声を出力したりするために使用される。また、制御部１１がナースコール用端末装置１をナースコール親機の機能または携帯通信端末の機能に切り替えた場合には、スピーカー部１４は、ナースコール子機からの呼び出しを報知する音声を出力したり、通話時に患者の声を含む音声を出力したりするために使用される。また、制御部１１がナースコール用端末装置１を廊下灯の機能に切り替えた場合には、スピーカー部１４は使用されない。
【００２０】
表示部１５は、表示ディスプレイなどの表示装置により構成されており、文字や絵などを表示するためのものである。ここで、制御部１１がナースコール用端末装置１をナースコール子機の機能に切り替えた場合には、表示部１５は、後述する操作部１６がどのような目的で使用されるのかを示す情報を表示するために使用される。具体的には、操作部１６が医療従事者を呼び出す（以下、呼出操作と記載する）ために使用されることを表示部１５は表示する。また、制御部１１がナースコール用端末装置１をナースコール親機の機能、廊下灯の機能または携帯通信端末の機能に切り替えた場合には、表示部１５は、ナースコール子機からの呼び出しを報知するための表示を行うために使用される。なお、制御部１１がナースコール用端末装置１をナースコール親機の機能に切り替えた場合には、表示部１５は、このナースコール親機で呼び出しを報知することができるナースコール子機（ナースコール親機に接続されているナースコール子機）を使用している患者の名前の一覧を表示するために使用されるようにしても良いし、呼び出しを報知する際に、呼び出しを行った患者の名前を強調表示するために使用されるようにしても良い。また、制御部１１がナースコール用端末装置１を廊下灯の機能に切り替えた場合には、表示部１５は、そのナースコール用端末装置１が設置された部屋を使用している患者の名前を表示するために使用されるようにしても良いし、呼び出しを報知する際に、呼び出しを行った患者の名前を強調表示するために使用されるようにしても良い。
【００２１】
操作部１６は、ボタンなどによって構成されており、ナースコール用端末装置１にて所定の動作を実行させるためのものである。操作部１６が操作されると、制御部１１は、ナースコール用端末装置１の機能に応じた信号を生成する。なお、操作部１６は、複数のボタンにより構成されるようにしても良い。ここで、制御部１１がナースコール用端末装置１をナースコール子機の機能に切り替えた場合には、操作部１６は、呼出操作を行うために使用され、操作部１６が操作されると、制御部１１は呼出信号を生成する。
【００２２】
また、制御部１１がナースコール用端末装置１を廊下灯の機能に切り替えた場合には、操作部１６は、表示部１５による報知を停止させ、呼出操作を行ったナースコール子機が再び呼出操作を行うことができるようにする復旧操作を行うために使用される。このとき、呼出信号を出力したナースコール子機が設置されている部屋の廊下灯のみで復旧操作を行うことができる。表示部１５による報知が行われている状態で操作部１６が操作されると、制御部１１は復旧信号を生成する。
【００２３】
また、制御部１１がナースコール用端末装置１をナースコール親機の機能または携帯通信端末の機能に切り替えた場合には、操作部１６は、スピーカー部１４および表示部１５による報知を停止させるとともに、呼び出しを行ったナースコール子機と通話路を形成する操作（以下、応答操作と記載する）を行うために使用される。このとき、呼出信号を入力したナースコール親機のみで応答操作を行うことができる。呼出信号を入力した状態で操作部１６が操作されると、制御部１１は、復旧信号を生成し、呼出信号を出力したナースコール子機との間で通話路を形成させる。また、ナースコール子機との間で通話路が形成されている場合に、操作部１６は、通話路を切断する操作（以下、終話操作と記載する）を行うために使用される。
【００２４】
Ｉ／Ｆ部１７は、ナースコール用端末装置１と接続装置２とを接続するためのものである。Ｉ／Ｆ部１７を介してナースコール用端末装置１と接続装置２とが接続されると、Ｉ／Ｆ部１７は、接続装置２が設置されている機器の機能に切り替えるための機能指定情報（例えば、ナースコール子機、ナースコール親機または廊下灯など）を後述の管理装置４から入力する。
【００２５】
Ｉ／Ｆ部１７がナースコール用端末装置１をナースコール子機の機能に切り替えるための機能指定情報を接続装置２から入力すると、制御部１１は、記憶部１２からナースコール子機の機能を実現するためのプログラムを取得して実行する。また、Ｉ／Ｆ部１７がナースコール用端末装置１をナースコール親機の機能に切り替えるための機能指定情報を接続装置２から入力すると、制御部１１は、記憶部１２からナースコール親機の機能を実現するためのプログラムを取得して実行する。また、Ｉ／Ｆ部１７がナースコール用端末装置１を廊下灯の機能に切り替えるための機能指定情報を接続装置２から入力すると、制御部１１は、記憶部１２から廊下灯の機能を実現するためのプログラムを取得して実行する。一方、Ｉ／Ｆ部１７が接続装置２に接続されず、ナースコール用端末装置１をナースコール親機の機能に切り替えるための機能指定情報を入力していない場合には、制御部１１は、記憶部１２から携帯通信端末の機能を実現するためのプログラムを取得して実行する。
【００２６】
無線通信部１８は、制御部１１がナースコール用端末装置１を携帯通信端末の機能に切り替えた場合に、呼出操作を行ったナースコール子機との間で無線通信を行うために使用される。また、制御部１１がナースコール用端末装置１をナースコール子機の機能、ナースコール親機の機能または廊下灯の機能に切り替えた場合には、無線通信部１８は使用されない。
【００２７】
接続装置２は、病院内の特定の場所（例えば、ベッド近傍などの病室内の各患者が居る場所やスタッフルームなどの医療従事者の居る部屋、病室の出入口付近など）にそれぞれ設置されており、ナースコール用端末装置１を接続するためのものである。ここで、接続装置２のそれぞれには、自装置を他の接続装置２と識別するための接続装置識別情報が割り振られている。また、接続装置２は、管理装置４に伝送線を介して接続されている。また、接続装置２は、ナースコール用端末装置１が接続されると、ナースコール用端末装置１との間で通信を行う。
【００２８】
記憶装置３は、メモリなどにより構成されており、スタッフルームなどに設置されている。また、記憶装置３は、接続装置２の接続装置識別情報およびその接続装置２が設置されている特定の場所に応じた機器の機能に切り替えるための機能指定情報を関連付けて予め記憶している。例えば、記憶装置３は、図２（ａ）に示すように、接続装置識別情報である「２ａ」〜「２ｃ」に対して、機能指定情報として「ナースコール子機」を関連付けて予め記憶している。また、接続装置識別情報である「２ｅ」、「２ｆ」に対して、機能指定情報として「廊下灯」を関連付けて予め記憶している。また、接続装置識別情報である「２ｇ」に対して、機能指定情報として「ナースコール親機」を関連付けて予め記憶している。
【００２９】
また、接続装置識別情報に関連付けて記憶装置３に記憶されている機能指定情報が「ナースコール子機」である場合に、記憶装置３は、接続装置識別情報と、その接続装置２が設置されている病室のベッドのベッド番号を示すベッド番号情報と、そのベッド番号により特定されるベッドを使用している患者を他の患者と識別するための患者識別情報とを関連付けて予め記憶している。また、接続装置識別情報に関連付けて記憶装置３に記憶されている機能指定情報が「廊下灯」である場合に、記憶装置３は、接続装置識別情報と、その接続装置識別情報により特定される接続装置２が設置されている病室を他の病室と識別するための病室識別情報（例えば、病室番号など）とを予め関連付けて記憶している。
【００３０】
例えば、記憶装置３は、図２（ｂ）に示すように、接続装置識別情報である「２ａ」に対して、ベッド番号情報として「２０１−１」を、患者識別情報として「山田一郎」を関連付けて予め記憶している。また、接続装置識別情報である「２ｂ」に対して、ベッド番号情報として「２０１−２」を、患者識別情報として「田中二郎」を関連付けて予め記憶している。また、接続装置識別情報である「２ｃ」に対して、ベッド番号情報として「２０１−３」を、患者識別情報として「鈴木三郎」を関連付けて予め記憶している。また、接続装置識別情報である「２ｄ」に対して、患者識別情報が存在しないためベッド番号情報として「２０１−４」のみを関連付けて予め記憶している。また、接続装置識別情報である「２ｅ」に対して、病室識別情報として「２０１」を関連付けて予め記憶している。また、接続装置識別情報である「２ｆ」に対して、病室識別情報として「２０２」を関連付けて予め記憶している。なお、接続装置識別情報と、病室識別情報および病室識別情報とを全てのナースコール用端末装置１の記憶部１２に記憶しておけば、それらの情報を記憶装置３に記憶しておかなくても良い。
【００３１】
管理装置４は、パーソナルコンピューターなどにより構成されており、医療従事者が居る部屋（例えば、スタッフルーム）などに設置されている。また、管理装置４は、接続装置２に接続されたナースコール用端末装置１に対して、その接続装置２が設置されている特定の場所に応じた機能指定情報を通知する。
【００３２】
交換機５は、所謂ＰＢＸ（Ｐｒｉｖａｔｅ  Ｂｒａｎｃｈ  ｅＸｃｈａｎｇｅ）であり、携帯通信端末の機能に切り替えられているナースコール用端末装置１をナースコールシステムに接続するための中継装置である。ここで、交換機５は、管理装置４に伝送線を介して接続されている。
【００３３】
無線基地局６は、携帯通信端末の機能に切り替えられているナースコール用端末装置１と無線通信するためのものである。ここで、無線基地局６は、病院内の各所に分散して複数配置されている。また、無線基地局６は、交換機５に伝送線を介して接続されている。
【００３４】
図３は、本実施形態によるナースコール用端末装置１が各機能に切り替わった場合の使用例を示す図である。ここで、接続装置識別情報が「２ａ」である接続装置２に接続されたナースコール用端末装置１は、「ナースコール子機」である機能識別情報をＩ／Ｆ部１７にて入力する。すると、制御部１１は、記憶部１２からナースコール子機の機能を実現するためのプログラムを取得して実行する。これにより、図３（ａ）に示すように、ナースコール用端末装置１は、ナースコール子機の機能に切り替わる。そのため、マイク部１３は、患者の声を含む周囲の音声を入力するために使用され、スピーカー部１４は、呼び出しが行われたことを示す呼出確認音を出力したり、医療従事者の声を含む音声を出力したりするために使用される。また、表示部１５は、操作部１６の操作内容を表示するために使用され、操作部１６は、呼出操作を行うために使用される。ここで、接続装置識別情報が「２ａ」である接続装置２に接続されたナースコール用端末装置１は、記憶装置３に関連付けて記憶されているように、「山田一郎」の患者識別情報に特定される患者によって使用されるナースコール子機となる。
【００３５】
また、接続装置識別情報が「２ｇ」である接続装置２に接続されたナースコール用端末装置１は、「ナースコール親機」である機能指定情報をＩ／Ｆ部１７にて入力する。すると、制御部１１は、記憶部１２からナースコール親機の機能を実現するためのプログラムを取得して実行する。これにより、図３（ｂ）に示すように、ナースコール用端末装置１は、ナースコール親機の機能に切り替わる。そのため、マイク部１３は、医療従事者の声を含む周囲の音声を入力するために使用され、スピーカー部１４は、患者からの呼び出しを報知したり、患者の声を音声として出力したりするために使用される。また、表示部１５は、ナースコール親機として使用されているナースコール用端末装置１に接続されているナースコール子機を使用している患者の名前の一覧表示を行ったり、患者からの呼び出しを報知したりするために使用される。また、操作部１６は、応答操作や終話操作を行うために使用される。ここで、ナースコール親機として使用されているナースコール用端末装置１に接続されているナースコール子機を使用している患者の患者識別情報は、記憶部１２や記憶装置３に予め記憶されている。
【００３６】
また、接続装置識別情報が「２ｅ」である接続装置２に接続されたナースコール用端末装置１は、「廊下灯」である機能指定情報をＩ／Ｆ部１７にて入力する。すると、制御部１１は、記憶部１２からナースコール親機の機能を実現するためのプログラムを取得して実行する。これにより、図３（ｃ）に示すように、ナースコール用端末装置１は、廊下灯の機能に切り替わる。そのため、マイク部１３およびスピーカー部１４は使用されなくなる。また、表示部１５は、廊下灯として使用されているナースコール用端末装置１が設置されている部屋を使用している患者の名前の一覧表示を行ったり、患者からの呼び出しを報知したりするために使用される。また、操作部１６は、復旧操作を行うために使用される。ここで、接続装置識別情報が「２ｅ」である接続装置２に接続されたナースコール用端末装置１は、記憶装置３に関連付けて記憶されているように、「２０１」の病室識別情報により特定される部屋にて使用される廊下灯となる。また、病室識別情報によって特定される部屋を使用している患者の患者識別情報は、記憶部１２や記憶装置３に予め記憶されている。
【００３７】
また、接続装置２に接続されなかったナースコール用端末装置１では、制御部１１が記憶部１２から携帯通信端末の機能を実現するためのプログラムを取得して実行する。これにより、図３（ｄ）に示すように、ナースコール用端末装置１は、携帯通信端末の機能に切り替わる。そのため、マイク部１３は、医療従事者の声を含む周囲の音声を入力するために使用され、スピーカー部１４は、患者からの呼び出しを報知したり、患者の声を音声として出力したりするために使用される。また、表示部１５は、患者からの呼び出しを報知するために使用され、操作部１６は、応答操作や終話操作を行うために使用される。
【００３８】
ここで、接続装置識別情報が「２ａ」である接続装置２に接続され、ナースコール子機の機能に切り替えられたナースコール用端末装置１にて呼出操作が行われると、呼出信号は、接続装置２、管理装置４、交換機５、無線基地局６を介して携帯通信端末として使用されているナースコール用端末装置１の無線通信部１８にて受信される。すると、スピーカー部１４にて報知が行われる。また、「ナースコール呼出」という報知の内容が表示部１５に表示されるとともに、接続装置識別情報の「２ａ」に関連付けて記憶装置３に記憶されている「２０１−１」のベッド番号情報および「山田一郎」の患者識別情報が表示部１５に表示される。
【００３９】
以上、詳しく説明したように、本実施形態のナースコール用端末装置１を含むナースコールシステムでは、特定の場所に設置されている接続装置２の接続装置識別情報およびその接続装置２が設置されている特定の場所に応じた機器の機能に切り替えるための機能指定情報を関連付けて記憶装置３に予め記憶しておく。そのナースコール用端末装置１が接続装置２に接続されると、Ｉ／Ｆ部１７は、その接続装置２の接続装置識別情報に関連付けて記憶装置３に記憶されている機能指定情報を入力する。制御部１１は、入力した機能指定情報に応じてナースコール用端末装置１の機能を切り替えるようにしている。一方、Ｉ／Ｆ部１７が機能指定情報を入力していない場合に、制御部１１は、ナースコール用端末装置１の機能を携帯通信端末の機能に切り替えるようにしている。
【００４０】
これにより、ナースコールシステムを構成する複数の機器の機能を切り替え可能に搭載したナースコール用端末装置１が特定の場所に設置された接続装置２に接続されると、ナースコール用端末装置１は、その特定の場所に応じた機能指定情報を入力し、機能指定情報を入力したナースコール用端末装置１の機能が機能指定情報により特定される機器の機能に切り替えられる。また、ナースコール用端末装置１が医療従事者によって携行されると、ナースコール用端末装置１は、特定の場所に設置された接続装置２に接続されず、機能指定情報を入力していないので、そのナースコール用端末装置１の機能が携帯通信端末の機能に切り替えられる。従って、ナースコールシステムを構成する複数の機器の機能のうち、特定の場所に設置される機器の機能と、医療従事者によって携行される携帯通信端末の機能とを適切に切り替えることができる。
【００４１】
なお、前述した実施形態では、ナースコール用端末装置１と接続装置２とは、伝送線を介して接続されているが、これに限定されない。例えば、ナースコール用端末装置１と接続装置２とが近距離無線を用いて通信するようにしても良い。この場合、接続装置２の通信範囲は、接続装置２が設置されている場所付近にナースコール用端末装置１を設置した場合のみに、接続装置２とナースコール用端末装置１とが無線通信することができる程度のものである必要がある。
【００４２】
また、前述した実施形態では、操作部１６は、ボタンによって構成されているが、これに限定されない。例えば、操作部１６がタッチパネルなどにより構成されるようにしても良い。
【００４３】
また、前述した実施形態では、Ｉ／Ｆ部１７は、ナースコール用端末装置１が接続装置２に接続された場合に、接続装置２が設置されている機器の機能に切り替えるための機能指定情報を管理装置４から入力しているが、これに限定されない。例えば、ナースコール用端末装置１が接続装置２に接続された場合に、制御部１１が記憶装置３から機能指定情報を取得するようにしても良い。
【００４４】
また、前述した実施形態では、ナースコール子機の機能に切り替わったナースコール用端末装置１の表示部１５は、操作部１６の操作内容を表示しているが、これに限定されない。例えば、ナースコール子機の機能に切り替わったナースコール用端末装置１の表示部１５が操作部１６の操作内容を表示しないようにしても良い。
【００４５】
その他、ナースコール用端末装置１を含むナースコールシステムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００４６】
１    ナースコール用端末装置
２    接続装置
３    記憶装置
４    管理装置
５    交換機
６    無線基地局
１１    制御部
１２    記憶部
１３    マイク部
１４    スピーカー部
１５    表示部
１６    操作部
１７    インターフェース（Ｉ／Ｆ）部
１８    無線通信部
【図１】
0005713344.tif 000002
【図２】
0005713344.tif 000003
【図３】
0005713344.tif 000004